(57)【要約】【課題】  ドラム内の洗濯物に効果的に給水できて、洗濯効果が速やかに得られるようにする。【解決手段】  給水装置１８の給水出口２０を水槽９に形成すると共に、ドラム２１に給水受口２４を形成し、給水出口２０に給水受口２４が合う回転位置にドラム２１を位置決めして給水するようにしたことにより、給水出口２０から給水受口２４を通じてドラム２１内に直接給水ができ、これによって、ドラム２１内の洗濯物に、その浮き上がりを抑え、効率良く水をしみ込ませ得るなど、効果的に給水ができるようになる。【選択図】  図１
2005087539.tif 000002
【特許請求の範囲】
【請求項１】
水槽と、
この水槽の内部に配設されたドラムと、
このドラムを回転駆動する駆動装置と、
前記ドラムを回転方向に位置決めする位置決め手段と、
給水をする給水装置とを具備するものにおいて、
前記給水装置の給水出口を前記水槽に形成すると共に、
前記ドラムに給水受口を形成し、
前記給水装置の給水出口に前記給水受口が合う回転位置に前記ドラムを位置決めして給水するようにしたことを特徴とするドラム式洗濯機。
【請求項２】
水槽とドラムがそれぞれに洗濯物出入口を有し、この両洗濯物出入口が合う位置でドラムが位置決めされることを特徴とする請求項１記載のドラム式洗濯機。
【請求項３】
給水受口が多孔状を成すことを特徴とする請求項１記載のドラム式洗濯機。
【請求項４】
ドラムを位置決めしたとき、給水受口が給水装置の給水出口の下方でそれに合うことを特徴とする請求項１記載のドラム式洗濯機。
【請求項５】
給水受口が、ドラムを位置決めしたときの下辺側に、リブを立設して有することを特徴とする請求項４記載のドラム式洗濯機。
【請求項６】
ドラムが洗濯物出入口を有し、この洗濯物出入口を閉塞する蓋の縁部で給水受口が形成されていることを特徴とする請求項１記載のドラム式洗濯機。
【請求項７】
ドラムがバッフルを有し、このバッフルが給水受口となっていることを特徴とする請求項１記載のドラム式洗濯機。
【発明の詳細な説明】
【技術分野】
【０００１】
本発明は、給水構造を改良したドラム式洗濯機に関する。
【背景技術】
【０００２】
従来より、ドラム式洗濯機においては、扉を前面に有して、この前面から洗濯物を出し入れするフロントオープンタイプのものが一般的に供されている。このタイプのドラム式洗濯機においては、給水を、機内の上部から扉の裏面部を伝わらせてドラムの内部と該ドラムを収容した水槽の内部へと分け入れるようにしている。このため、給水の全部がドラムの内部に入れられることはなく、多くが水槽の内部（ドラムと水槽との間）に入れられた後にドラムの脱水用や通風用の連通孔からドラムの内部へと入れられるようになっている。
【０００３】
これに対して、近年、扉（蓋）を上面に有して、この上面から洗濯物を出し入れするトップオープンタイプのものも供されている。このタイプのドラム式洗濯機においては、給水を、機内の後部において、ドラムの胴部の背面部を伝わらせて水槽の内部（ドラムと水槽との間）に入れるようにしている。このため、この場合も、直接的には給水の一部がドラムの連通孔からドラムの内部へと入るに過ぎず、残りのほとんどはドラムと水槽との間の底部に溜まって、そこからドラムの連通孔を通じドラムの内部へと入れられるようになっている。
【特許文献１】特開平８−２６６７７７号公報
【発明の開示】
【発明が解決しようとする課題】
【０００４】
しかして、上述のように、給水の多くがドラムと水槽との間に入れられて、そこからドラムの連通孔を通じドラムの内部へと入れられるものでは、ドラムの内部に収容された洗濯物はそれに伴い水面に浮くのみで、水のしみ込みが少なく、時間がかかるため、洗濯効果を速やかに得ることが困難であり、その結果として、洗濯時間が長くなるという欠点を有していた。
【０００５】
本発明は上述の事情に鑑みてなされたものであり、従ってその目的は、ドラム内の洗濯物に効果的に給水できて、洗濯効果を速やかに得ることができ、洗濯時間の短縮化ができるドラム式洗濯機を提供するにある。
【課題を解決するための手段】
【０００６】
上記目的を達成するために、本発明のドラム式洗濯機においては、水槽と、この水槽の内部に配設されたドラムと、このドラムを回転駆動する駆動装置と、前記ドラムを回転方向に位置決めする位置決め手段と、給水をする給水装置とを具備するものにおいて、前記給水装置の給水出口を前記水槽に形成すると共に、前記ドラムに給水受口を形成し、前記給水装置の給水出口に前記給水受口が合う回転位置に前記ドラムを位置決めして給水するようにしたことを特徴とする。
【発明の効果】
【０００７】
上記手段によれば、給水装置による給水をする際、給水装置の給水出口からドラムの給水受口を通じてドラム内に直接給水ができる。よって、ドラム内の洗濯物に、その浮き上がりを抑え、効率良く水をしみ込ませ得るなど、効果的に給水ができるもので、それにより、洗濯効果を速やかに得ることができ、洗濯時間を短縮できる。
【発明を実施するための最良の形態】
【０００８】
以下、本発明の第１実施例（第１の実施形態）につき、図１ないし図６を参照して説明する。
まず、図２には、ドラム式洗濯機全体の外観を示しており、台板１と、これに載置結合した外箱２、及び外箱２に被着したトップカバー３とで、外殻４を構成している。トップカバー３には、そのほゞ全域に洗濯物出入口５を形成し、これを閉塞する蓋６を例えば二つ折りにて開閉可能に枢着している。又、トップカバー３の洗濯物出入口５（蓋６）左側方位置には、洗剤や柔軟仕上剤及び漂白剤といった処理剤を投入するための投入ケース７と、これの蓋８とを設けている。
【０００９】
外箱２の内部には、図３に示す水槽９を、複数組のサスペンション１０により、前記台板１から弾性支持して配設しており、この水槽９には、上部に洗濯物出入口１１を形成し、この洗濯物出入口１１を閉塞する蓋１２を開閉可能に枢着している。又、この水槽９の左側端面部には、図４に示すモータ１３とドラムロック装置１４とを取付けており、そのほか、この水槽９の前部（図４中、右側）下方には、排水弁１５を主体とする排水装置１６を設けている。
【００１０】
一方、水槽９の後部上方には、給水弁１７を主体とする給水装置１８を設けている。この給水装置１８にあって、給水弁１７は出口部を前記投入ケース７に連通させており、この投入ケース７の出口部に蛇腹状の給水ホース１９を接続している。従って、この場合、給水装置１８は、給水弁１７−投入ケース７−給水ホース１９で順路が構成され、その途中、投入ケース７を経ることにより、該投入ケース７にセットされた前記処理剤の流し出しをもするようになっている。なお、図２には、前記トップカバー３の後部から露出させた給水弁１７の入口部（給水装置１８の給水入口であって、水源接続口）１７ａを示している。
【００１１】
そして、図１には、上記給水装置１８の給水出口２０を示している。この給水出口２０は前記水槽９の洗濯物出入口１１近くの後側に形成したものであり、この給水出口２０に上記給水ホース１９の先端部を接続している。
又、図１には、水槽９の内部に配設したドラム２１を示している。このドラム２１は、横軸円筒状をなすもので、その左右の軸方向両端部を水槽９の左右両側部に図示しない軸受を介して回転可能に軸支している。
【００１２】
このドラム２１には、胴部の一部（図１では上部）に洗濯物出入口２２を形成しており、この洗濯物出入口２２を閉塞する蓋２３を、後側の蓋主板２３ａと、前側の蓋補助板２３ｂとで開閉可能に枢着して構成している。このほか、ドラム２１の胴部には、図示はしないが、脱水用や通風用の連通孔を全域にわたり多数形成している。そして、ドラム２１の洗濯物出入口２２（蓋２３）近くの図１における後部には、給水受口２４を形成している。この給水受口２４の位置は、詳細には、ドラム２１の上記洗濯物出入口２２が水槽９の前記洗濯物出入口１１に合ったときに、前記給水装置１８の給水出口２０に合う位置であり、更に詳細には、その給水出口２０の下方に位置するところである。
【００１３】
加えて、給水受口２４は、この場合、ドラム２１に形成した孔２５に多孔板２６を装着して構成したもので、すなわち、該給水受口２４は図５にも示すように多孔状を成し、多数の小孔２７を有している。又、多孔板２６は皿状に窪んでおり、従って、給水受口２４としてもドラム２１内に向かってやゝ窪んでいる。更に、この給水受口２４について、多孔板２６には、上述のドラム２１の洗濯物出入口２２が水槽９の洗濯物出入口１１に合うときの状態での下辺側（例えば多孔板２６の全周辺部中、下辺側の半部）に、リブ２８を立設している。
【００１４】
そのほか、多孔板２６の全周辺部にはフランジ部２９を形成しており、このフランジ部２９をドラム２１の孔２５の全周辺部に当て、その上で、その両側部をそれぞれねじ３０によってドラム２１に固着している。
そして、図１には、ドラム２１の内周部の複数箇所（この場合、３箇所）にほゞ均等間隔を置いて設けたバッフル３１をも示している。
【００１５】
なお、詳しくは図示しないが、前記外殻４の内部には、そのほか、ドラム２１内の空気を除湿し温風化してドラム２１内に還流させることにより洗濯物を乾燥させる乾燥装置をも配設している。
【００１６】
更に、図６には、ドラム式洗濯機の運転全般を制御する制御装置３２を示しており、これは例えばマイクロコンピュータから成っている。この制御装置３２には、前記トップカバー３の前側部に設けた操作パネル３３（図２参照）が有する各種の操作スイッチから成る操作入力部３４から各種操作信号が入力されると共に、前記ドラム２１の回転位置を検知するように設けたドラム位置検知手段である位置センサ３５から位置検知信号が入力され、更に、前記水槽９内（ドラム２１内）の水位を検知するように設けた水位センサ３６から水位検知信号が入力されるようになっている。
【００１７】
そして、それらの入力並びにあらかじめ記憶された制御プログラムに基づき、制御装置３２は、上記操作パネル３３が有する各種の表示素子から成る表示部３７と、前記ドラムロック装置１４の駆動源（例えばギヤードモータ）３８、給水弁１７、モータ１３、排水弁１５、乾燥装置の除湿用給水弁３９と、送風機４０、及びヒータ４１、を駆動する駆動回路４２に駆動制御信号を与えるようになっている。
【００１８】
次に、上記構成のものの作用を述べる。
まず、運転を開始する前の状態は、前回の運転を終了する折りに実行した制御による状態を残している。これは、制御装置３２が、ドラム２１の回転位置を位置センサ３５により検知して、ドラム２１の回転を、水槽９の洗濯物出入口１１にドラム２１の洗濯物出入口２２が合う位置で停止させ、その位置で、更にドラムロック装置１４をロック実行位置に作動させた状態であり、ドラムロック装置１４はその作動により、上述の水槽９の洗濯物出入口１１にドラム２１の洗濯物出入口２２が合う位置にドラム２１をロックしている。このロックした位置は又、ドラム２１の給水受口２４が給水装置１８の給水出口２０に合う位置でもあり、従って、上記位置センサ３５とドラムロック装置１４は、給水装置１８の給水出口２０にドラム２１の給水受口２４が合う回転位置にドラム２１を位置決めする位置決め手段として機能するものである。
【００１９】
この状態で、蓋６，１２，２３が開けられ、トップカバー３の洗濯物出入口５から、水槽９の洗濯物出入口１１及びドラム２１の洗濯物出入口２２を通じてドラム２１内に洗濯物が投入され、運転が開始される。運転が開始されば、最初に、給水が行われる。この給水は、給水装置１８の給水弁１７を開放させることにより実行されるもので、該給水弁１７を通じて供給される水が、投入ケース７にセットされた処理剤（この場合、洗剤と漂白剤）を流し出しつつ、該投入ケース７から給水ホース１９を通じて流れ、水槽９の給水出口２０から図１に矢印で示すように出て、ドラム２１の給水受口２４を通り、ドラム２１内に供給される。そして、その後、洗濯運転が実行される。
【００２０】
このように本構成のものでは、給水出口２０にドラム２１の給水受口２４が合う回転位置にドラム２１を位置決めして給水することにより、給水出口２０からドラム２１の給水受口２４を通じてドラム２１内に直接給水ができる。よって、ドラム２１内の洗濯物に、その浮き上がりを抑え、効率良く水をしみ込ませ得るなど、効果的に給水ができるもので、それにより、洗濯効果を速やかに得ることができるので、洗濯時間を短縮することができる。
【００２１】
又、本構成のものの場合、ドラム２１の上述の位置決めを、水槽９の洗濯物出入口１１とドラム２１の洗濯物出入口２２とが合う位置で実行するようにしており、それらの洗濯物出入口１１，２２からの洗濯物の投入に続いて運転を開始させることによる給水の実行、すなわち、上記給水出口２０からドラム２１の給水受口２４を通じてのドラム２１内への直接の給水が、洗濯物出入口１１，２２を合わせることとは別にドラム２１を位置決め制御することなくできる。
【００２２】
更に、本構成のものの場合、ドラム２１の給水受口２４は多孔状を成しており、これによって、ドラム２１内への給水はシャワー状に散水して行われるので、ドラム２１内の洗濯物に対し均一に分散給水できて、より効率良く効果的に給水ができ、よって、洗濯効果も一段と速やかに得ることができ、洗濯時間を一層短縮することができる。
【００２３】
加えて、本構成のものの場合、ドラム２１を前述のように位置決めしたとき、給水受口２４が給水装置１８の給水出口２０の下方でそれに合うようにしており、これによって、その給水出口２０から流れ落ちる水を給水受口２４を通じてドラム２１内に供給することが円滑にでき、それだけ更に効率良く給水できるので、これによっても、洗濯効果を一段と速やかに得ることができ、洗濯時間を一層短縮することができる。
【００２４】
又、本構成のものの場合、給水受口２４はドラム２１を前述のように位置決めしたときの下辺側にリブ２８を立設して有しており、これによって、給水受口２４をストレートに通過せずにその上面を流下した水をリブ２８によりせき止めて給水受口２４から流し落とすことができるので、これによっても、更に効率良く給水できて、洗濯効果を一段と速やかに得ることができ、洗濯時間を一層短縮することができる。
【００２５】
以上に対して、図７ないし図１１は本発明の第２及び第３実施例（第２及び第３の実施形態）を示すもので、第１実施例と同一の部分には同一の符号を付して説明を省略し、異なる部分についてのみ述べる。
［第２実施例］
図７ないし図９に示す第２実施例においては、給水受口５１を、前述の給水受口２４に代えて、ドラム２１の蓋２３の縁部で形成しており、詳細には、蓋２３の蓋主板２３ａの先端縁部と蓋補助板２３ｂの先端縁部との間の間隙で形成している。なお、図８において、５２は蓋主板２３ａの先端縁部の表面に設けた装飾カバーを示し、５３は蓋主板２３ａの先端縁部の裏面に設けた補強板を、５４は蓋補助板２３ｂの先端縁部の裏面に設けた補強板をそれぞれ示している。
【００２６】
そして、図９に示すように、運転が開始(スタート)されてからは、制御装置３２がモータ１３によりドラム２１を図１に示したのと同じ位置から回転させて（ステップＳ１）、その回転位置を位置センサ３５により検知することにより、ドラム２１の回転を、水槽９の洗濯物出入口１１に上記給水受口５１が合う位置で停止させ、位置決めをする（ステップＳ２）。このとき、ドラムロック装置１４によるドラム２１のロックは行わないが、行うようにしても良い。
【００２７】
この後、給水弁１７を開放させ（ステップＳ３）、これにより、給水装置１８の給水出口２０から上記給水受口５１を通じてドラム２１内への給水をする。そして、その状態で、水位センサ３６からの水位検知信号により水槽９内（ドラム２１内）の水位が設定水位に達したか否かの判断をし（ステップＳ４）、達した（ＹＥＳ）と判断され次第、給水弁１７を閉塞させて給水を終了し（ステップＳ５）、次いで、洗濯運転を実行する（ステップＳ６）。
【００２８】
このように給水受口５１をドラム２１の蓋２３の縁部で形成して給水するようにしたことにより、ドラム２１に給水受口を特別に形成することなく（蓋２３の縁部を給水受口５１に利用して）ドラム２１内の直接給水ができる。
なお、給水受口５１は、蓋２３が蓋主板２３ａと蓋補助板２３ｂとの二枚構成でなく、一枚構成であれば、その蓋とドラム２１の胴部との間で形成するようにしても良い。
【００２９】
又、上述のドラムロック装置１４によるドラム２１のロックを伴わないドラム２１の位置決め制御は、すすぎ運転前など、運転開始から終了までの途中の給水時に実行するようにしても良い。
［第３実施例］
図１０及び図１１に示す第３実施例においては、ドラム２１のバッフル６１を、前述のバッフル３１に代えて、ドラム２１の胴部に形成した複数の通水孔６２と連通する中空状で、且つ先端に注水口６３を有するものとすることにより、前述の給水受口２４や給水受口５１とも代わる給水受口６４としている。
【００３０】
このようにしても、ドラム２１に給水受口を特別に形成することなく（バッフル６１を水受口６４に利用して）ドラム２１内の直接給水ができる。
又、この場合、バッフル６１はドラム２１が具えるすべてのバッフルを上述のように構成することにより、ドラム２１が給水受口６４を複数具える構成ともしている。
【００３１】
そして、更にこの場合、図１１に示すように、運転が開始(スタート)されてからは、制御装置３２がモータ１３によりドラム２１を図１に示したのと同じ位置から回転させて（ステップＳ１０１）、その回転位置を位置センサ３５により検知することにより、ドラム２１の回転を、水槽９の洗濯物出入口１１に最寄の上記給水受口６４が合う位置で停止させ、位置決めをする（ステップＳ１０２）。このときも、ドラムロック装置１４によるドラム２１のロックは行わないが、行うようにしても良い。
【００３２】
この後、給水弁１７を開放させ（ステップＳ１０３）、これにより、給水装置１８の給水出口２０から上記給水受口６４を通じてドラム２１内への給水をする。この後、給水弁１７を閉塞させて給水を中止し（ステップＳ１０４）、次いで、水位センサ３６から水位検知信号により水槽９内（ドラム２１内）の水位が設定水位に達したか否かの判断をし（ステップＳ１０５）、達していない（ＮＯ）と判断されるうちは、ステップＳ１０１に戻り、ステップＳ１０１〜Ｓ１０５を繰り返す。すなわち、この場合は、ドラム２１を、複数ある給水受口６４が順次水槽９の洗濯物出入口１１に合う位置でそれぞれ位置決めをしてそのたびに給水をする。
【００３３】
これにより、ドラム２１内の洗濯物に対し均一に給水できて、より効率良く効果的に給水ができ、よって、この場合も、洗濯効果も一段と速やかに得ることができ、洗濯時間を一層短縮することができる。
なお、上記ステップＳ１０５で、達した（ＹＥＳ）と判断されば、洗濯運転を実行する（ステップＳ１０６）。
【００３４】
ここで、給水受口６４は、ドラム２１が具えるバッフルの全部でなく、そのうちの幾つかに構成されていても良く、あるいは１つにのみ構成されて図９に示した位置決め制御がなされるものであっても良い。
又、第１実施例で示した給水受口２４の多孔構成は、格子状の構成から成るものであっても良い。
【００３５】
更に、ドラム式全体の構成としても、トップオープンタイプに限られず、フロントオープンタイプであっても良い。
そのほか、本発明は上記し且つ図面に示した実施例にのみ限定されるものではなく、要旨を逸脱しない範囲内で適宜変更して実施し得る。
【図面の簡単な説明】
【００３６】
【図１】本発明の第１実施例を示す主要部分の縦断側面図
【図２】全体の斜視図
【図３】主要部分の斜視図
【図４】全体の縦断側面図
【図５】給水受口部分の拡大斜視図
【図６】電気的構成のブロック図
【図７】本発明の第２実施例を示す図１相当図
【図８】給水受口部分の拡大縦断側面図
【図９】作用説明のためのフローチャート
【図１０】本発明の第３実施例を示す図１相当図
【図１１】図９相当図
【符号の説明】
【００３７】
図面中、９は水槽、１１は洗濯物出入口、１４はドラムロック装置（位置決め手段）、１８は給水装置、２０は給水出口、２１はドラム、２２は洗濯物出入口、２３は蓋、２４は給水受口、２６は多孔板、２８はリブ、３５は位置センサ（位置決め手段）、５１は給水受口、６１はバッフル、６４は給水受口を示す。
【図１】
2005087539.tif 000003
【図２】
2005087539.tif 000004
【図３】
2005087539.tif 000005
【図４】
2005087539.tif 000006
【図５】
2005087539.tif 000007
【図６】
2005087539.tif 000008
【図７】
2005087539.tif 000009
【図８】
2005087539.tif 000010
【図９】
2005087539.tif 000011
【図１０】
2005087539.tif 000012
【図１１】
2005087539.tif 000013